(57)【要約】【課題】この発明はフットライトによって床面を効率よく確実に照らすことができるベッド装置を提供することにある。【解決手段】床面に設置されるベッド装置であって、  上面にマットレスが載置されるベッド本体１と、ベッド本体に下方に向かって開口して形成された取付け凹部１６と、取付け凹部に設けられ点灯させることで床面を照らすフットライト１７と、ベッド本体の側部に設けられフットライトを点灯させるスイッチとを具備する。【選択図】      図３
2008054946.tif 000002
【特許請求の範囲】
【請求項１】
床面に設置されるベッド装置であって、
上面にマットレスが載置されるベッド本体と、
このベッド本体の側部に下方に向かって開口して形成された取付け凹部と、
この取付け凹部に設けられ点灯させることで上記床面を照らすフットライトと、
上記ベッド本体に設けられ上記フットライトを点灯させるスイッチと
を具備したことを特徴とするベッド装置。
【請求項２】
上記ベッド本体はフレームと、このフレームの上端に幅方向の一端部を外方に突出させて設けられる飾り桟を有し、
上記取付け凹部は上記飾り桟の上記フレームよりも外方に突出した幅方向一端部の下面に開口して形成されていることを特徴とする請求項１記載のベッド装置。
【請求項３】
上記フレームの側部外面には外方に突出した凸部が形成されていて、この凸部に上記スイッチが設けられていることを特徴とする請求項１記載のベッド装置。
【請求項４】
上記ベッド本体は上下駆動機構によって支持高さの調整可能であることを特徴とする請求項１記載のベッド装置。
【発明の詳細な説明】
【技術分野】
【０００１】
この発明は利用者がマットレス上から降りるときに足元を照らすフットライトが設けられたベッド装置に関する。
【背景技術】
【０００２】
利用者が暗い室内に設置されたベッド装置のマットレス上から降りる場合、足元を目視によって確認することができるようにするため、上記ベッド装置にフットライトを設けるようにしている。
【０００３】
たとえば、特許文献１にはベッドフレームのサイドフレーム及びフットボードに凹部を形成し、その凹部にフットライトを設けるようにしている。上記凹部はベッドフレームの下面と側面とに開口して形成されている。それによって、上記フットライトからの光は上記凹部の開口から出射して周囲を照明するようになっている。
【特許文献１】特開平１０−３２７９８４号公報
【発明の開示】
【発明が解決しようとする課題】
【０００４】
ところで、暗い室内ではフットライトの点灯操作が困難な場合があるから、通常はフットライトを点灯させたままにしておくことが多い。フットライトを点灯させたままにしておくと、特許文献１に記載された構成では、フットライトが設けられた凹部がベッドフレームの下面だけでなく、側面にも開口しているため、側面から漏れた光が就寝中の利用者に到達し、睡眠の妨げになるということがあり、好ましくない。
【０００５】
この発明は、フットライトの光が就寝中の利用者に到達し難いようにしたベッド装置を提供することにある。
【課題を解決するための手段】
【０００６】
この発明は、床面に設置されるベッド装置であって、
上面にマットレスが載置されるベッド本体と、
このベッド本体の側部に下方に向かって開口して形成された取付け凹部と、
この取付け凹部に設けられ点灯させることで上記床面を照らすフットライトと、
上記ベッド本体に設けられ上記フットライトを点灯させるスイッチと
を具備したことを特徴とするベッド装置にある。
【０００７】
上記ベッド本体はフレームと、このフレームの上端に幅方向の一端部を外方に突出させて設けられる飾り桟を有し、
上記取付け凹部は上記飾り桟の上記フレームよりも外方に突出した幅方向一端部の下面に開口して形成されていることが好ましい。
【０００８】
上記フレームの側部外面には外方に突出した凸部が形成されていて、この凸部に上記スイッチが設けられていることが好ましい。
【０００９】
上記ベッド本体は上下駆動機構によって支持高さの調整可能であることが好ましい。
【発明の効果】
【００１０】
この発明によれば、フットライトが設けられる凹部を、ベッド本体に下方に向かって開口形成したから、フットライトの光は床面を効率よく照明し、ベッド装置で就寝した利用者に到達し難くなる。
【発明を実施するための最良の形態】
【００１１】
以下、この発明の一実施の形態を図面を参照して説明する。  
図１と図２はベッド装置を示し、このベッド装置はベッド本体１を備えている。このベッド本体１は長手方向一端にヘッドボード２が設けられたベッドフレーム３を有する。このベッドフレーム３は平行に離間対向した帯板状の一対の側部材４（一方のみ図示）の長手方向一端に上記ヘッドボード２が設けられ、他端には同じく帯板状の端部材５が設けられている。
【００１２】
上記側部材４と端部材５の上端面には、これらの厚さよりも幅寸法が大きい帯板状の飾り桟７が幅方向の一端部をベッドフレーム３の外側に突出させて設けられている。そして、上記構成のベッドフレーム３にはその枠内に図示しない床板が架設され、この床板上にマットレス８が載置されている。
【００１３】
上記ベッドフレーム３は、図２に示すように四隅部にキャスタ１０が設けられたベースフレーム１１に上下駆動機構１２によって高さ調整可能に設けられている。この上下調整機構１２は、詳細は図示しないが、上記ベースフレーム１１の長手方向の一端部と他端部にそれぞれ支軸１３が設けられ、一対の支軸１３にはそれぞれリンク機構１４が設けられている。
【００１４】
各リンク機構１４は図示しない駆動源によって連動して伸縮駆動されるようになっていて、それによって上記ベッド本体１を図１に示す低位置から図２に示す高位置まで上昇させることができ、しかもその間の任意の高さで保持可能となっている。
【００１５】
上記ベッド本体１の一側に設けられた飾り部材７の長手方向の両端部で、上記側部材４から外方に突出させた幅方向の一端部には、取付け凹部１６が下面だけに開口して形成されている。一対の取付け凹部１６には図３に示すようにＬＥＤなどのフットライト１７が設けられている。
【００１６】
上記フットライト１７は上記ベッドフレーム３の一方の側部材４の外面の長手方向の中途部に設けられたスイッチ１８によって点滅させることができるようになっている。すなわち、上記側部材４の外面の長手方向の中途部には平面形状が台形状の凸部２１が突出形成されていて、その凸部２１の側面の中央部に上記スイッチ１８が設けられている。
【００１７】
上記飾り部材７には、上記凸部２１の上面を覆う平面台形状の突出部２２が設けられている。さらに、上記ベッドフレーム３の上記凸部２１と対応する部分には取付け具２３が設けられている。この取付け具２３には矩形枠状の側柵２４が着脱可能に取付けられている。
【００１８】
このような構成のベッド装置によれば、利用者が就寝するときにはスイッチ１８を操作してフットライト１７を点灯させてから室内を暗くする。それによって、就寝中に利用者が起きる場合、ベッドフレーム３の一側の長手方向両端部に設けられた一対のフットライト１７によって床面が照らされているから、利用者は足元の安全を確保しながらベッド装置のマットレス８上から降りることができる。
【００１９】
上記フットライト１７は飾り桟７の下面だけに開口した取付け凹部１６内に設けられているため、フットライト１７からの光は上記取付け凹部１６から下方に向かって出射し、側方に漏れ出ることがない。そのため、マットレス８上で仰臥して就寝する利用者にフットライト１７の光が届くことがほとんどないから、フットライト１７の光が利用者の就寝を妨げることがない。
【００２０】
上記フットライト１７を点灯させるスイッチ１８を側部材４に形成された凸部２１に設けるようにした。そのため、利用者がベッド装置が設置された暗い室内に入ってスイッチ１８を操作してフットライト１７を点灯させる場合、上記凸部２１を目当てにしてスイッチ１８の位置を確認することができるから、暗い室内でのスイッチ１８の操作、つまりフットライト１７の点灯を比較的容易に行なうことが可能となる。
【００２１】
上記ベッド本体１は上下駆動機構１２によって高さ調整可能となっている。ベッド本体１を上昇させると、フットライト１７による床面の照明範囲が拡大される。そのため、上昇したベッド本体１から利用者が降りる場合、照明範囲が拡大されていることで、足元の確認がし易くなるから、マットレス８上から降り易くなるということがある。
【００２２】
しかも、上昇したベッド本体１の下面側に子供が入り込んだ場合、フットライト１７の照明によってベッド本体１の下面側が確認できるから、不用意に上昇したベッド本体１を下降させるということも防止できる。
【００２３】
上記一実施の形態ではベッド本体の一側の両端部にフットライトを設けるようにしたが、両側に設けるようにしてもよく、さらに両端部だけでなく、所定間隔で２つ以上設けるようにしてもよい。
【００２４】
また、フットライトはベッド本体の側部に限られず、ヘッドボードや端部材の下端面に取付け凹部を形成し、そこに設けるようにしてもよく、要はフットライトの取付け位置は制限されるものでない。
【００２５】
また、取付け凹部を側部材の上端に設けられる飾り部材に形成するようにしたが、側部材の下端面に形成するようにしてもよい。
【図面の簡単な説明】
【００２６】
【図１】この発明の一実施の形態を示すベッド本体が下降した状態の斜視図。
【図２】ベッド本体が上昇した状態の斜視図。
【図３】ベッド本体のフットライトが設けられた部分の断面図。
【符号の説明】
【００２７】
１…ベッド本体、３…ベッドフレーム、４…側部材、５…飾り部材、１２…上下駆動機構、１６…取付け凹部、１７…フットライト、１８…スイッチ、２１…凸部。
【図１】
2008054946.tif 000003
【図２】
2008054946.tif 000004
【図３】
2008054946.tif 000005